(57)【要約】【課題】メニュー項目を選択するときの使い勝手を向上することのできる給湯機用リモコン及び給湯システムを提供する。【解決手段】給湯機用リモコンは、操作スイッチが操作されるたびに、表示手段が第一の数のメニュー項目を順番に表示する階層化メニュー表示モードと、第一の数のメニュー項目から選ばれた、第一の数よりも少ない第二の数のメニュー項目を表示する限定メニュー表示モードとを切り替え可能である。制御手段は、第一の数のメニュー項目のうちで、過去に利用された利用頻度の高いものを第二の数のメニュー項目として設定する。【選択図】図３
2019095100.tif 000002
【特許請求の範囲】
【請求項１】
給湯機を操作するための給湯機用リモコンであって、
表示手段と、
操作スイッチと、
前記表示手段の表示を制御する制御手段と、
を備え、
前記操作スイッチが操作されるたびに、前記表示手段が第一の数のメニュー項目を順番に表示する階層化メニュー表示モードと、
前記第一の数のメニュー項目から選ばれた、前記第一の数よりも少ない第二の数のメニュー項目を表示する限定メニュー表示モードとを切り替え可能であり、
前記制御手段は、前記第一の数のメニュー項目のうちで、過去に利用された利用頻度の高いものを前記第二の数のメニュー項目として設定する
給湯機用リモコン。
【請求項２】
前記限定メニュー表示モードのときに、前記第二の数のメニュー項目以外の別の情報を同時に前記表示手段に表示可能である請求項１に記載の給湯機用リモコン。
【請求項３】
前記別の情報は、日付及び時刻の少なくとも一方の情報を含む請求項２に記載の給湯機用リモコン。
【請求項４】
前記別の情報は、前記給湯機の異常を示す情報を含む請求項２または請求項３に記載の給湯機用リモコン。
【請求項５】
前記限定メニュー表示モードのときに前記給湯機の異常が発生した場合には、前記制御手段は、前記限定メニュー表示モードから前記階層化メニュー表示モードへ自動で切り替える請求項１から請求項４のいずれか一項に記載の給湯機用リモコン。
【請求項６】
前記第一の数のメニュー項目のうちの一部のメニュー項目に対応する第一操作スイッチが前記操作スイッチに含まれ、
前記制御手段は、前記第一の数のメニュー項目のうちで、前記第一操作スイッチに対応するメニュー項目を除外したものの中から前記第二の数のメニュー項目を設定する請求項１から請求項５のいずれか一項に記載の給湯機用リモコン。
【請求項７】
前記限定メニュー表示モードの表示機能を有効にするか無効にするかを使用者が選択する選択手段を備える請求項１から請求項６のいずれか一項に記載の給湯機用リモコン。
【請求項８】
前記限定メニュー表示モードのときに、前記第二の数のメニュー項目のそれぞれについて、過去の利用回数を前記表示手段に併せて表示可能である請求項１から請求項７のいずれか一項に記載の給湯機用リモコン。
【請求項９】
前記制御手段は、２４時間を複数の時間帯に区分した各時間帯ごとの前記利用頻度に基づいて前記第二の数のメニュー項目を各時間帯ごとに選択する請求項１から請求項８のいずれか一項に記載の給湯機用リモコン。
【請求項１０】
前記限定メニュー表示モードのときに、前記第二の数のメニュー項目を同時に前記表示手段に表示可能である請求項１から請求項９のいずれか一項に記載の給湯機用リモコン。
【請求項１１】
前記限定メニュー表示モードのときに、前記限定メニュー表示モードを使用者が解除するときに選択する項目である解除表示を前記表示手段に表示する請求項１から請求項１０のいずれか一項に記載の給湯機用リモコン。
【請求項１２】
請求項１から請求項１１のいずれか一項に記載の給湯機用リモコンと、前記給湯機とを備える給湯システムであって、
複数の前記給湯機用リモコンを備え、
前記複数の前記給湯機用リモコンのそれぞれにおける前記利用頻度に応じて、前記第二の数のメニュー項目が前記複数の前記給湯機用リモコンごとに設定される給湯システム。
【発明の詳細な説明】
【技術分野】
【０００１】
本発明は、給湯機用リモコン及び給湯システムに関する。
【背景技術】
【０００２】
下記特許文献１に開示された風呂リモコン装置は、以下のように構成されている。文字放送番組を表示画面に表示する。水位センサによる浴槽水位の検出信号の水位変化情報に基き家族の各人の入浴と出浴を検出し、その人が浴槽で最後に見ていた文字放送番組を関連付けた各人ごとのデータをメモリに記憶する。入浴を自動検知して、その人の好みの文字放送番組を表示画面に自動表示する。
【０００３】
下記特許文献２に開示されたリモートコントロール装置は、一定期間において、操作に係る頻度が高いと判断した室内機の状態を表す画像等については液晶表示部に表示するようにし、低いと判断した画像については消去する。
【先行技術文献】
【特許文献】
【０００４】
【特許文献１】特開２００９−１２１８１３号公報
【特許文献２】特開２０１３−１０２４４６号公報
【発明の概要】
【発明が解決しようとする課題】
【０００５】
給湯機用リモコンにおいて、操作スイッチが操作されるたびに、表示手段が複数のメニュー項目を順番に表示する階層化メニュー表示モードの処理を行う場合がある。階層化メニュー表示モードにおいては、利用するメニュー項目を表示させるまでに何回も操作スイッチを操作しなければならない場合があるので、使い勝手が必ずしも良くないという課題がある。
【０００６】
本発明は、メニュー項目を選択するときの使い勝手を向上することのできる給湯機用リモコン及び給湯システムを提供することを目的とする。
【課題を解決するための手段】
【０００７】
本発明に係る給湯機用リモコンは、給湯機を操作するための給湯機用リモコンであって、表示手段と、操作スイッチと、表示手段の表示を制御する制御手段と、を備え、操作スイッチが操作されるたびに、表示手段が第一の数のメニュー項目を順番に表示する階層化メニュー表示モードと、第一の数のメニュー項目から選ばれた、第一の数よりも少ない第二の数のメニュー項目を表示する限定メニュー表示モードとを切り替え可能であり、制御手段は、第一の数のメニュー項目のうちで、過去に利用された利用頻度の高いものを第二の数のメニュー項目として設定するものである。
また、本発明に係る給湯システムは、上記給湯機用リモコンと、給湯機とを備える給湯システムであって、複数の給湯機用リモコンを備え、複数の給湯機用リモコンのそれぞれにおける利用頻度に応じて、第二の数のメニュー項目が複数の給湯機用リモコンごとに設定されるものである。
【発明の効果】
【０００８】
本発明によれば、メニュー項目を選択するときの使い勝手を向上することのできる給湯機用リモコン及び給湯システムを提供することが可能となる。
【図面の簡単な説明】
【０００９】
【図１】実施の形態１による給湯機用リモコンの外観を示す正面図である。
【図２】階層化メニュー表示モードのときの表示部の表示例を示す図である。
【図３】実施の形態１の給湯機用リモコンにおける階層化メニュー表示モードと限定メニュー表示モードとの切り替えに関する処理の例を示すフローチャートである。
【図４】限定メニュー表示モードのときの表示部の表示画面の例を示す図である。
【図５】実施の形態２による給湯システムを示す図である。
【発明を実施するための形態】
【００１０】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１１】
実施の形態１．
図１は、実施の形態１による給湯機用リモコン１の外観を示す正面図である。図１に示すように、本実施の形態の給湯機用リモコン１は、表示部２、ふろ自動スイッチ３、温度変更スイッチ４、階層化メニュースイッチ５、決定スイッチ６、選択スイッチ７、筐体８、及び制御部９を備える。図示を省略するが、給湯機用リモコン１は、例えば、スピーカー、マイクなどをさらに備えてもよい。
【００１２】
給湯機用リモコン１は、給湯機（図示省略）を遠隔操作するためのユーザーインターフェースに相当する。給湯機の制御部と、給湯機用リモコン１との間は、有線通信または無線通信により、双方向に通信可能となるように接続される。給湯機用リモコン１は、例えば台所、リビング、浴室などの壁に設置されてもよい。１台の給湯機に対して複数台の給湯機用リモコン１が接続されてもよい。その場合、二つの給湯機用リモコン１の間で使用者の通話が可能に構成されてもよい。
【００１３】
表示部２は、例えば、液晶表示装置、有機ＥＬ（Ｅｌｅｃｔｒｏ−Ｌｕｍｉｎｅｓｃｅｎｃｅ）表示装置のようなディスプレイにより構成された表示手段に相当する。表示部２の画面は、筐体８の表面に配置されている。表示部２は、給湯機に関する情報等を表す文字、数字、図形、マークなどを表示可能である。
【００１４】
ふろ自動スイッチ３、温度変更スイッチ４、階層化メニュースイッチ５、決定スイッチ６、及び選択スイッチ７は、使用者が操作する操作スイッチに相当しており、筐体８の表面に配置されている。給湯機用リモコン１は、これらの操作スイッチのうちの少なくとも一部を覆う状態と覆わない状態とに開閉可能な蓋部（図示省略）を備えていてもよい。
【００１５】
ふろ自動スイッチ３は、例えば、浴槽の湯はりを行うときなどに操作するためのスイッチである。ふろ自動スイッチ３を押下すると、浴槽の湯はりを開始させることができる。温度変更スイッチ４は、例えば、浴槽湯はりの設定温度、あるいは給湯設定温度を変更するときなどに操作するためのスイッチである。温度変更スイッチ４は、上方向キー４ａ及び下方向キー４ｂを有する。上方向キー４ａまたは下方向キー４ｂを押下すると、設定温度を上昇または低下させることができる。階層化メニュースイッチ５は、例えば、階層化メニューを表示させるときなどに操作するためのスイッチである。階層化メニューについては後述する。決定スイッチ６は、表示部２に表示された内容を確定させるときなどに操作するためのスイッチである。選択スイッチ７は、表示部２の表示内容を選択するときなどに操作するためのスイッチである。選択スイッチ７は、上方向キー７ａ及び下方向キー７ｂを有する。
【００１６】
筐体８の内部に、給湯機用リモコン１の制御手段に相当する制御部９が内蔵されている。制御部９は、上述した操作スイッチの信号と、給湯機の制御部から受信した情報とに基づいて、表示部２の表示内容を制御する。
【００１７】
給湯機用リモコン１は、階層化メニュー表示モードを有する。階層化メニュー表示モードは、複数のメニュー項目を階層化メニューとして表示可能である。階層化メニュー表示モードにおいては、操作スイッチが操作されるたびに、表示部２は、階層化メニューに含まれる複数のメニュー項目を順番に表示する。
【００１８】
図２は、階層化メニュー表示モードのときの表示部２の表示例を示す図である。図２中の「トップ画面」は、操作スイッチが操作されていないときの表示部２の表示例を示す。このトップ画面の例では、「１２／３０（金）」という今日の日付に関する情報と、「７：００」という現在時刻に関する情報とが表示されている。これら以外の情報、例えば設定温度に関する情報がトップ画面に含まれていてもよい。
【００１９】
トップ画面から階層化メニュースイッチ５を１回押すと、表示部２の表示が図２中の「階層化メニュー画面１」に切り替わる。この階層化メニュー画面１では、メニュー項目の例として「ふろ自動時間」と表示されている。給湯機は、ふろ自動スイッチ３が押されて浴槽の湯はりを行った後、自動追い焚き、自動さし湯などのふろ自動運転を行う機能を有している。「ふろ自動時間」というメニュー項目は、そのふろ自動運転を継続する時間の設定を表している。図示の例は、ふろ自動運転を継続する時間の設定が２時間であることを表している。
【００２０】
階層化メニュー画面１から選択スイッチ７の下方向キー７ｂを２回押すと、表示部２の表示が図２中の「階層化メニュー画面２」に切り替わる。この階層化メニュー画面２では、メニュー項目の例として「追い焚き」と表示されている。「追い焚き」というメニュー項目は、給湯機の追い焚き機能の設定を表している。階層化メニュー画面２の例では、「ＯＦＦ」と表示され、追い焚き機能が停止していることを表している。
【００２１】
階層化メニュー画面２から温度変更スイッチ４の上方向キー４ａまたは下方向キー４ｂを１回押すと、表示部２の表示が図２中の「階層化メニュー画面３」に切り替わる。この階層化メニュー画面３は、「追い焚き」というメニュー項目について「ＯＮ」と表示されており、追い焚き機能を利用することを表している。
【００２２】
階層化メニュー画面３から決定スイッチ６を１回押すと、表示部２の表示がトップ画面に戻るとともに、給湯機による追い焚き機能の運転が開始される。
【００２３】
上述したように、図２の例は、使用者が、階層化メニューの複数のメニュー項目のうちから「追い焚き」というメニュー項目を選択し、給湯機の追い焚き機能の運転を開始させるための操作を行った場合の例である。
【００２４】
階層化メニューに含まれる複数のメニュー項目は、上述した「ふろ自動時間」及び「追い焚き」以外に、給湯機の各機能に対応するメニュー項目と、給湯機用リモコン１の各機能に対応するメニュー項目とのうちの少なくとも一つをさらに含んでもよい。給湯機の各機能に対応するメニュー項目としては、例えば、浴槽に湯を追加するさし湯機能、湯はり量を設定する機能、沸き上げモードを選択する機能、節電運転を設定する機能、浴槽循環配管を洗浄する洗浄機能、外部配管の凍結を防止する凍結防止運転機能、浴槽に残った湯の熱を給湯機の貯湯タンクに風呂熱回収運転機能などの各機能に対応するメニュー項目が挙げられる。給湯機用リモコン１の各機能に対応するメニュー項目としては、例えば、給湯機用リモコン１の通話機能、音声ガイダンス機能、スピーカーの音量設定機能などの各機能に対応するメニュー項目が挙げられる。以下の説明では、階層化メニューに含まれる複数のメニュー項目の数を「第一の数」と称する。
【００２５】
本実施の形態の給湯機用リモコン１は、階層化メニュー表示モードと限定メニュー表示モードとを切り替え可能である。限定メニュー表示モードは、階層化メニューに含まれる第一の数のメニュー項目から選ばれた、第一の数よりも少ない第二の数のメニュー項目のみを表示部２に表示するモードである。制御部９は、第一の数のメニュー項目のうちで、過去に利用された利用頻度の高いものを、限定メニュー表示モードの上記第二の数のメニュー項目として設定する。
【００２６】
図３は、実施の形態１の給湯機用リモコン１における階層化メニュー表示モードと限定メニュー表示モードとの切り替えに関する処理の例を示すフローチャートである。図３のステップＳ１として、制御部９は、各メニュー項目が利用されたかどうかを判断する。制御部９は、各メニュー項目ごとに、過去の利用回数を記憶している。例えば、制御部９は、過去所定期間（例えば、２週間、１ヶ月、６ヶ月のいずれか）における各メニュー項目の利用回数を記憶してもよい。ステップＳ１でメニュー項目が利用された場合には、制御部９は、ステップＳ２として、当該メニュー項目の利用回数として記憶している値に１を加算する。
【００２７】
制御部９は、メニュー項目に対応する給湯機または給湯機用リモコン１の機能が動作した場合、あるいはメニュー項目に対応する設定内容が使用者により変更された場合に、メニュー項目が利用されたと判定し、当該メニュー項目の利用回数としてカウントする。これに対し、メニュー項目が表示部２に単に表示されたに過ぎない場合には、制御部９は、当該メニュー項目の利用回数としてカウントしない。例えば、図２の例では、「追い焚き」というメニュー項目に対応する給湯機の追い焚き機能が動作しているので、制御部９は、「追い焚き」というメニュー項目が利用されたと判定し、「追い焚き」というメニュー項目の利用回数としてカウントする。これに対し、図２の例において、「ふろ自動時間」というメニュー項目は、表示部２に単に表示されたに過ぎず、「ふろ自動時間」の設定内容である「２時間」という値が変更されてはいない。この場合、制御部９は、「ふろ自動時間」というメニュー項目が利用されていないと判定し、利用回数としてカウントしない。
【００２８】
制御部９は、ステップＳ３として、過去所定期間内の利用回数が多い順、すなわち過去に利用された利用頻度の高い順に、メニュー項目を抽出する。この抽出数（すなわち第二の数）は、階層化メニューの数（すなわち第一の数）よりも少なくする。
【００２９】
ステップＳ４として、制御部９は、ステップＳ３で抽出されたメニュー項目を表示部２に限定メニュー表示として表示する。図４は、限定メニュー表示モードのときの表示部２の表示画面の例を示す図である。図４に示す例では、ステップＳ３で抽出された「追い焚き」及び「さし湯」という二つのメニュー項目が表示部２に表示されている。すなわち、この例における「第二の数」は、「２」である。なお、「第二の数」は、「２」に限定されないことは言うまでもない。「第二の数」は、「３」でもよいし、３以上でもよい。
【００３０】
限定メニュー表示モードが設定されている場合には、図４に示すように、抽出されたメニュー項目をトップ画面において表示してもよい。図４に示すトップ画面から、使用者は、例えば選択スイッチ７を押すことでメニュー項目を選択し、決定スイッチ６を押すことでそのメニュー項目を利用することができる。図４の例において、例えば下方向キー７ｂを１回押すと「追い焚き」が選択されて反転表示され、下方向キー７ｂをもう１回押すと「さし湯」が選択されて反転表示されるようにしてもよい。
【００３１】
階層化メニュー表示モードにおいては、利用するメニュー項目を選択するまでに使用者が何回も操作スイッチを操作しなければならない場合がある。これに対し、限定メニュー表示モードにおいては、表示されるメニュー項目の数が階層化メニュー表示モードよりも少ないので、使用者が利用するメニュー項目を選択するまでに必要とする操作スイッチの操作回数を少なくすることができる。また、限定メニュー表示モードで表示されるメニュー項目は、利用頻度の高いものが抽出されているので、使用者が利用しようとするメニュー項目が限定メニュー表示モードの表示に含まれている可能性が高い。以上のことから、本実施の形態であれば、給湯機用リモコン１の使い勝手を向上することが可能となる。
【００３２】
図４に示す例では、「追い焚き」及び「さし湯」という二つのメニュー項目を同時に表示部２に表示している。このように、限定メニュー表示モードのときに、第二の数のメニュー項目を同時に表示部２に表示することで、利用するメニュー項目を使用者がさらに容易に選択することが可能となる。ただし、第二の数が比較的大きい数であり、第二の数のメニュー項目を同時に表示部２に表示することが困難である場合には、限定メニュー表示モードにおいて、第二の数のメニュー項目を階層化して表示部２に表示してもよい。例えば、限定メニュー表示モードにおいて、選択スイッチ７が操作されるたびに、第二の数のメニュー項目が順番に表示部２に表示されるように構成してもよい。
【００３３】
図３のフローチャートにおいて、ステップＳ４に続いて、制御部９は、ステップＳ５として、限定メニュー表示モードが解除されているか否かを判断する。限定メニュー表示モードが解除されている場合には、制御部９は、ステップＳ６として、階層化メニュー表示モードを設定する。限定メニュー表示モードが解除されていない場合には、制御部９は、ステップＳ７として、限定メニュー表示モードを設定する。
【００３４】
図４に示す例では、限定メニュー表示モードのときに解除表示２０が表示部２に表示されている。解除表示２０は、限定メニュー表示モードを使用者が解除するときに選択するための項目である。図４に示す例では、「表示解除」との文字を解除表示２０として表示している。解除表示２０は、文字に限定されるものではなく、図形、マークなどを用いたものでもよい。使用者は、限定メニュー表示モードを解除しようとする場合には、例えば選択スイッチ７を操作することで解除表示２０を選択し、決定スイッチ６を押す。これにより、限定メニュー表示モードを解除し、階層化メニュー表示モードに戻すことができる。このように、限定メニュー表示モードのときに解除表示２０を表示部２に表示することで、必要に応じて使用者が容易に限定メニュー表示モードから階層化メニュー表示モードに戻すことができる。また、階層化メニュー表示モードから限定メニュー表示モードへ切り替える操作としては、例えば、いずれかの操作スイッチに対して特定の操作を行うと階層化メニュー表示モードから限定メニュー表示モードへ切り替わるように構成してもよい。
【００３５】
限定メニュー表示モードのときに、抽出されたメニュー項目以外の別の情報を同時に表示部２に表示してもよい。図４に示す例では、この「別の情報」として、「１２／３０（金）」という今日の日付に関する情報と、「７：００」という現在時刻に関する情報と、「エラーＨ０１」という給湯機の異常を示す情報とを表示している。このようにすることで、限定メニュー表示モードのときにも、重要な情報を使用者に確実に報知することができる。
【００３６】
限定メニュー表示モードのときに給湯機の異常が発生した場合には、制御部９は、限定メニュー表示モードから階層化メニュー表示モードへ自動で切り替えてもよい。そのようにすることで、給湯機の異常に関する詳細情報を使用者が迅速に確認することが可能となる。
【００３７】
階層化メニューの第一の数のメニュー項目のうちの一部のメニュー項目に対応する操作スイッチ（以下、「第一操作スイッチ」と称する）が設けられている場合には、制御部９は、当該第一操作スイッチに対応するメニュー項目を除外したものの中から、限定メニュー表示モードの第二の数のメニュー項目を設定してもよい。例えば、図４の例において、「さし湯」に対応する操作スイッチが筐体８に設置されている場合には、制御部９は、「さし湯」に代えて、次に利用頻度の高いメニュー項目を限定メニュー表示モードにおいて表示してもよい。筐体８に設置された操作スイッチに対応するメニュー項目を限定メニュー表示モードにおいて表示する必要性は低いからである。
【００３８】
限定メニュー表示モードのときに、第二の数のメニュー項目のそれぞれについて、過去の利用回数を表示部２に併せて表示してもよい。これにより、各メニュー項目の利用頻度を使用者自身が容易に知ることができる。
【００３９】
制御部９は、２４時間を複数の時間帯に区分した各時間帯ごとの利用頻度に基づいて、限定メニュー表示モードの第二の数のメニュー項目を各時間帯ごとに選択してもよい。例えば、制御部９は、図３のステップＳ２において各時間帯ごとに各メニュー項目の利用回数をカウントし、ステップＳ３において現在の時刻が属する時間帯についての利用回数のデータに基づいてメニュー項目を抽出し、その抽出されたメニュー項目を限定メニュー表示モードにおいて表示してもよい。メニュー項目の利用頻度は、一日のうちの時間帯によって変化する可能性がある。例えば、入浴する時間帯においては、入浴に関連するメニュー項目の利用頻度が高くなる可能性がある。上記のようにすることで、使用者の一日の生活パターンなどに応じて、限定メニュー表示モードにおいて表示するメニュー項目をより適切に選択することが可能となる。
【００４０】
給湯機用リモコン１は、限定メニュー表示モードの表示機能を有効にするか無効にするかを使用者が選択する選択手段を備えてもよい。例えば、操作スイッチに対して特定の操作をすることで、限定メニュー表示モードに切り替わらないようにすることを設定できるように構成してもよい。限定メニュー表示モードを必要としない使用者は、事前に、限定メニュー表示モードの表示機能を無効に設定しておくことができる。これにより、使用者の意に反して階層化メニュー表示モードから限定メニュー表示モードへ切り替わってしまうことを確実に防止できる。
【００４１】
実施の形態２．
次に、図５を参照して、実施の形態２について説明するが、前述した実施の形態１との相違点を中心に説明し、同一部分または相当部分については説明を簡略化または省略する。図５は、実施の形態２による給湯システム１０を示す図である。図５に示すように、本実施の形態の給湯システム１０は、給湯機１１と、給湯機用リモコン１Ａと、給湯機用リモコン１Ｂとを備える。給湯機用リモコン１Ａ及び給湯機用リモコン１Ｂは、給湯機１１の制御部１２に対し、有線通信または無線通信により通信可能に接続されている。給湯機用リモコン１Ａ及び給湯機用リモコン１Ｂのそれぞれは、実施の形態１の給湯機用リモコン１と同一または類似の構成を有する。給湯機１１は、給湯配管５１，５２を介して浴槽５０に接続されている。給湯機１１は、浴槽５０に対する湯はり機能、追い焚き機能、さし湯機能などを備える。給湯機用リモコン１Ａ及び給湯機用リモコン１Ｂは、互いに異なる場所に設置される。例えば、給湯機用リモコン１Ａが浴室に設置され、給湯機用リモコン１Ｂが台所またはリビングに設置されてもよい。
【００４２】
給湯機用リモコン１Ａの制御部９は、給湯機用リモコン１Ａにおけるメニュー項目の利用頻度に応じて、限定メニュー表示モードの第二の数のメニュー項目を選択し、その選択したメニュー項目を給湯機用リモコン１Ａの表示部２に表示可能である。
【００４３】
給湯機用リモコン１Ｂの制御部９は、給湯機用リモコン１Ｂにおけるメニュー項目の利用頻度に応じて、限定メニュー表示モードの第二の数のメニュー項目を選択し、その選択したメニュー項目を給湯機用リモコン１Ｂの表示部２に表示可能である。
【００４４】
浴室に設置された給湯機用リモコン１Ａと、台所またはリビングに設置された給湯機用リモコン１Ｂとでは、メニュー項目の利用頻度が異なる可能性がある。例えば、浴室に設置された給湯機用リモコン１Ａにおいては、入浴に関連するメニュー項目の利用頻度が高くなる可能性がある。
【００４５】
本実施の形態のように、複数の給湯機用リモコン１Ａ，１Ｂのそれぞれにおける利用頻度に応じて、限定メニュー表示モードの第二の数のメニュー項目が複数の給湯機用リモコン１Ａ，１Ｂごとに設定されるようにすることで、給湯機用リモコン１Ａ，１Ｂの設置場所の違いに応じた、メニュー項目の利用頻度の違いに適切に対応することが可能となる。なお、本実施の形態において、給湯システム１０が３台以上の給湯機用リモコンを備えていてもよいことは言うまでもない。
【符号の説明】
【００４６】
１，１Ａ，１Ｂ  給湯機用リモコン、  ２  表示部、  ３  ふろ自動スイッチ、  ４  温度変更スイッチ、  ４ａ  上方向キー、  ４ｂ  下方向キー、  ５  階層化メニュースイッチ、  ６  決定スイッチ、  ７  選択スイッチ、  ７ａ  上方向キー、  ７ｂ  下方向キー、  ８  筐体、  ９  制御部、  １０  給湯システム、  １１  給湯機、  １２  制御部、  ２０  解除表示、  ５０  浴槽、  ５１，５２  給湯配管
【図１】
2019095100.tif 000003
【図２】
2019095100.tif 000004
【図３】
2019095100.tif 000005
【図４】
2019095100.tif 000006
【図５】
2019095100.tif 000007